(57)【要約】ハーネスの支持装置は、背側部材が着用者の背側領域に配置されるように構成され、背側部材がハーネスのストラップと着用者の背側領域との間に挿入される位置でハーネスと作動的に係合するように構成され、背側部材は、上部、下部及び上部と下部との間に介在する中間部を有する。首支持部材は、背側部材の上部から延び、背側部材が着用者の背側領域に配置されたときに着用者の首を支持するように構成される。背側部材は、着用者の胸椎の一般的な側面輪郭に対応する輪郭を有し、首部材は、背側部材の上部から後方に延び、背側部材は、ストラップによって及ぼされる圧力を分配し、首支持部材は首を受け、頭部を後傾状態に支持することができる。【選択図】図１
2017525448.tif 000002
【特許請求の範囲】
【請求項１】
ハーネスのための支持装置であって、
背側部材を含み、背側部材は、着用者の背側領域に配置され、背側部材がハーネスと着用者の背側領域との間に配置される位置でハーネスと作動可能に係合するように構成され、背側部材は、上部、下部、および上部と下部の間に置かれた中間部とを有し、
背側部材の上部から延在し、背側部材が着用者の背側領域に配置されたときに着用者の首を支持するように構成された首支持部材と、を含み、
背側部材は、着用者の胸椎の一般的な側面輪郭に対応する輪郭を有し、首部材は、背側部材の上部から後方に延び、背側部材は、ハーネスによって加えられる圧力を分配することができ、首支持部材は、首を受けることができ、頭部を後傾状態で支持することができる、支持装置。
【請求項２】
背側部材12は、背側部材の垂直方向の長さの約3分の1から約2分の1、上部から中間部分まで後方に延在する側面輪郭を有し、次に、下部に伸びる、請求項1に記載の支持装置。
【請求項３】
前記背側部材は、前記中間部において最も狭い幅を有する、請求項1に記載の支持装置。
【請求項４】
前記上側部分は、着用者の肩甲骨領域のそれぞれの上に位置するように離間して配置された2つの上側ハーネス係合区域を含み、前記ハーネス係合区域は、支持装置がハーネスに係合するように構成されている、請求項1に記載の支持装置。
【請求項５】
前記上部ハーネス係合区域の各々は、前記ハーネスのストラップが貫通可能なスロットを規定する、請求項4に記載の支持装置。
【請求項６】
前記下部は、前記支持装置を前記ハーネスに係合されるように構成された少なくとも1つの下部ハーネス係合区域を含む、請求項1に記載の支持装置。
【請求項７】
前記、または、各下部ハーネス係合区域は、前記ハーネスの要素が貫通可能なスロットを規定する、請求項6に記載の支持装置。
【請求項８】
下側部分は、着用者の胸郭の下側領域の上に位置するように間隔をあけて配置され、下側部分が二股になっている2つの下側ハーネス係合区域を含む、請求項6に記載の支持装置。
【請求項９】
前記背部および首支持部材は、共に一体構造を規定する、請求項1に記載の支持装置。
【請求項１０】
前記装置の全体的な垂直高さまたは長さが約330mm〜450mmである、請求項1に記載の支持装置。
【請求項１１】
前記上部の前記装置の全幅は、約230mm〜260mmである、請求項1に記載の支持装置。
【請求項１２】
下部の装置の全幅が約195mm〜255mmである、請求項1に記載の支持装置。
【請求項１３】
背側部材に固定されたウェビングと、
ウェビングの安全ハーネスへの接続を容易にするためにウェビングに配置されたコネクタと、を含む、請求項1に記載の支持装置。
【請求項１４】
腰部バンドと、
使用時に、着用者の臀部と膝の間で、大腿の後に配置される腰部バンドに接続された大腿部支持装置と、
２つのストラップと、を含み、各ストラップは、ユーザのそれぞれの肩部と操作可能に係合するように構成され、腰部バンドに動作可能に接続され、
腰部バンドと動作可能に係合された横臥機構であって、
横臥機構はテザーに接続可能であり、落下防止状態において、横臥機構が着用者を少なくとも部分的に横臥または着座位置に配置するようにし、
支持装置は、背側部材を含み、
前記背側部材は、着用者の背側領域上に配置されるように構成され、前記背側部材が前記安全ハーネスと着用者の背側領域との間に配置される位置に配置され、前記背側部材は、上部と、下部と、上部と下部との間に介在する中間部とを有し、
首支持部材を含み、首支持部材は、背側部材の上部から延在し、背側部材が着用者の背側領域に配置されたときに着用者の首を支持するように構成され、背側部材は、着用者のジェネリックな胸椎の側部の輪郭を有し、
背側部材がハーネスによって加えられる圧力を分配することができ、首支持部材は首部を受け、頭部を後傾状態に支持するように、背側部材の上部から後方に伸びる、落下防止ハーネス。
【請求項１５】
前記横臥機構は、腰部バンドの前部に配置されたガイドと、一端が前記大腿部支持装置に接続された2つのシートストラップとを備え、前記ガイドは、腰バンドに対するシートストラップの移動を可能にするように構成され、シートストラップの反対側の端部は、安全締め綱などに接続可能であり、落下防止状況において、シートストラップは、着用者の少なくとも部分的に横臥又は着座した位置への配置を容易にする、請求項14に記載の落下防止ハーネス。
【請求項１６】
前記ストラップは、着用者の胸部および腹部領域にわたって延び、前記腰部バンドに接続されるように構成され、ストラップは、着用者を少なくとも部分的に横臥または座った位置にあるように容易に位置する、請求項15に記載の落下防止ハーネス。
【請求項１７】
前記ストラップは、それぞれ、前記腰部バンドに順に接続される作業位置決めコネクタに固定される、請求項15に記載の落下防止ハーネス。
【発明の詳細な説明】
【技術分野】
【０００１】
ハーネスのための支持装置の種々の例示的な実施形態が本明細書に記載される。支持装置を組み込んだハーネスの種々の例示的な実施形態もここに記載されている。
【概要】
【０００２】
ハーネスの支持装置の様々な例示的実施形態は、背側部材を備え、背側部材は、着用者の背側領域上に配置され、背側部材がハーネスと着用者の背側領域の間に介在する位置のハーネスに作動可能に係合するように構成され、背側部材は、上部と、下部と、上部と下部との間に介在する中間部とを有し、そして
背側部材の上部から延在し、背側部材が着用者の背側領域に配置されたときに着用者の首を支持するように構成された首支持部材と、を含み、
背側部材は、着用者の胸椎の一般的な側面輪郭に対応する輪郭を有し、首部材は、背側部材の上部から後方に延び、背側部材がハーネスによって加えられる圧力を分配することができ、首支持部材は首を受け、後傾状態で頭部を支持することができる。
【０００３】
背側部材は、背側部材の垂直方向長さの約3分の1から約半分まで、次いで、下部へ内側または前方に、上部から中間部まで後方または外方に延びる側面輪郭を有することができる。
【０００４】
「背」および「外向き」という言葉は、交換可能であり、着用者が立っているとき、着用者の背中または背側領域が向く方向に関連する。同様に、「前」、「前方」および「内側」という言葉もまた交換可能であり、逆の意味で使用される。また、「上部」は肩領域に関連し、「下部」は腰部領域に関連する。
【０００５】
背側部材の上側部分は、2つの上側ハーネス係合区域を含むことができ、これらの区域は、間隔を開けて、少なくとも部分的に、着用者のそれぞれの肩甲骨領域の上にあり、ハーネス係合区域は、支持装置がハーネスと係合するように構成される。上部ハーネス係合区域は、それぞれ、安全ハーネスのストラップが縫い付けられて安全装置に支持装置を配置することができるスロットを規定することができる。
【０００６】
下部は、支持装置をハーネスと係合させるように構成された少なくとも1つの下部ハーネス係合区域を含んでもよい。
【０００７】
前記、または、各下部ハーネス係合区域は、ハーネスの構成要素が縫い付けられて貫通することができるスロットを規定することができる。
【０００８】
下部は、着用者の胸郭の下部領域の上に位置するように間隔をあけて配置され、下部が二股になっている2つの下部ハーネス係合区域を含むことができる。
【０００９】
背側および首支持部材は、共に一体構造を規定することができる。
【００１０】
支持装置は、約380mm〜450mmの全体的な垂直高さまたは長さを有することができる。
【００１１】
代わりに、支持装置は、全高、または、全長として、約330mmと380mmとの間であってもよい。
【００１２】
支持装置は、全高、または、全長として、約230mmと260mmとの間であってもよい。
【００１３】
下部における支持装置の全幅は、約225mmと255mmとの間であってもよい。
【００１４】
代わりに、下部における支持装置の全幅は、約195mm〜230mmの間であってもよい。
【００１５】
支持装置は、背側部材に固定したウェビングと、ウェビングを安全ハーネスへの接続を容易にするためにウェビングに配置されたコネクタとを含むことができる。
【００１６】
ウェビングは、2つのストラップを備えてもよく、各ストラップは、ストラップのそれぞれの端部に配置されたコネクタと共に、背側部材を横切って下側から上側に延びている。
【００１７】
ストラップは、背側部材を横切って互いに重なることができる。
【００１８】
各コネクタは、ハーネスのストラップがウェビングに接続できるように、従来のループコネクタであってもよい。
【００１９】
落下防止ハーネスの様々な例示的実施形態は、
腰部バンドと、
使用時に、着用者の太腿の後で、臀部と膝の間に配置される腰部バンドに接続された大腿部支持装置と、
２つのストラップと、を含み、各ストラップは、ユーザのそれぞれの肩部と操作可能に係合するように構成され、腰部バンドに動作可能に接続され、
腰部バンドに作動的に係合した横臥機構を含み、落下防止状態において、横臥機構は着用者が少なくとも部分的に横臥または着座位置にあるように、横臥機構はテザーに接続可能であり、
支持装置を含み、支持装置は、背側部材を含み、
背側部材は、着用者の背側領域に配置されるように構成され、背側部材は、安全ハーネスと着用者の背側領域の間に介在する位置に位置決めされ、
背側部材は上部と、下部と、上部と下部との間に介在する中間部を含み、
背側部材の上部から延在し、背側部材が着用者の背側領域に配置されたときに着用者の首を支持するように構成された首支持部材を含み、背側部材は、着用者の胸椎のジェネリックな側面輪郭に対応する輪郭を有し、首部部材は、背側部材がハーネスによって加えられる圧力を分配することができ、且つ、首支持部材が首を受け、頭部を後傾した状態で支持することができるように背側部材の上部から後方に延びる。
【００２０】
ストラップは腰部バンドの後部に接続されてもよく、支持装置の背側部材は2つの上部スロットと2つの下部スロットを規定することができ、ストラップを、スロットを通して支持装置に縫い付けて配置することができる。
【００２１】
支持装置は、背側部材に固定したウェビングと、ウェビングをストラップおよび腰部バンドに接続するのを容易にするために、ウェビングに配置されるコネクタを含んでもよい。
【００２２】
ウェビングは、2つのストラップを含むことができ、各ストラップは、背側部材を横切って下側から上側に延びる。コネクタは、ストラップのそれぞれの端部に配置され、2つの上部コネクタがストラップに接続され、2つの下部コネクタが、適切な接続ウェビングによって腰部バンドに接続され得る。
【００２３】
リクライナ機構は、腰部バンドの前部に配置されたガイドと、一端が大腿部支持装置に接続された2つのシートストラップとを備えてもよく、前記ガイドは、前記シートストラップシートストラップの両端部は、締め綱等に接続可能であり、落下拘束状態において、少なくとも部分的に腰掛けまたは着座した位置に着用者を配置するのを容易にすることができる。
【００２４】
ストラップは、着用者の胸部及び腹部領域上に延在するように構成され、ストラップが着用者を少なくとも部分的に横臥又は着座位置に配置することを容易にすることができるように、腰部バンドに接続されてもよい。
【００２５】
ストラップは、各々、腰バンドに接続され得る作業位置決めコネクタにそれぞれ固定されてもよい。
【図面の説明】
【００２６】
図1は、ハーネス用の支持装置の一実施形態の前面からの3次元図を示す。
【００２７】
図2は、図1の支持装置の平面図を示す。
【００２８】
図3は、図1の支持装置の側面図を示す。
【００２９】
図4は、ハーネス用の支持装置の別の実施形態の背面図を示す。
【００３０】
図5は、ハーネスのための支持装置の別の実施形態の背面図を示す。
【００３１】
図6は、図1の支持装置を組み込んだハーネスの背面図を示す。
【００３２】
図7は、図2または図3の支持装置を組み込んだハーネスの背面図を示す。
【００３３】
図8は、ハーネスの一実施形態の正面図を示す。
【００３４】
図9は、ハーネスの別の実施形態の正面図を示す。
【００３５】
図10は、大腿部のシートウェビングおよび大腿ストラップの別の構成の詳細図を示す。
【００３６】
図11は、横臥機構を組み込んだ図8のハーネスの腰部バンドの一部の正面図を示す。
【００３７】
図12は、バックアップ装置を備えた横臥機構を組み込んだ図8のハーネスの腰部バンドの一部の正面図である
【００３８】
図13は、図12の横臥機構の一部の詳細図を示す。
【００３９】
図14は、使用中の図9のハーネスを示す。
【００４０】
図15は、ハーネスのための支持装置の一実施形態の背面図を示す。
【００４１】
図16は、ハーネスのための支持装置の一実施形態の背面図を示す。
【００４２】
図17は、図16の支持装置の側面図を示す。
【００４３】
図18は、ハーネスのための支持装置の一実施形態の背面図を示す。
【００４４】
図19は、ハーネスのための支持装置の一実施形態の背面図を示す。
【００４５】
図20は、図18の支持装置を組み込んだハーネスの背面図を示す。
【発明を実施するための最良の形態】
【００４６】
図1〜図3において、参照番号10は、一般に、ハーネスのための支持装置の実施形態を示す。ハーネスは、例えば、落下防止ハーネスとすることができる。しかし、支持装置は、他の形態のハーネスに対して有用であり、または使用され得ることが想定される。ハーネスは、何らかの形態の機能を提供するために着用者の身体に着用される何らかの形態の配置として理解されるべきである。これは、落下防止および他の安全目的と、容易にアクセスできるアイテムの保管が含まれる。そのようなハーネスは、通常、ストラップおよび／またはウェビングを組み込む。また、パネルや、ポケット、締め綱、クリップ、調節用のバックル、その他のユーティリティ部品などのような、その他の構成部品も組み込むことができる。
【００４７】
多くの場合、着用者は、長時間にわたってハーネスを着用する必要がある。例えば、高所での屋外作業が行われる状況では、作業日全体にハーネスを着用する必要があるかもしれない。そのような場合には、ハーネスをできるだけ快適にし、長期間の使用に快適性をもたらす人間工学的特徴または付属品を組み込むことが望ましい。加えて、着用者は、特に危険な状態において安全であると感じることが望ましい。支持装置10は、このような機能を提供することを意図している。
【００４８】
支持装置10は、ハーネスと一時的または永久的に係合するのに適している。支持装置10は、ハーネスの一部を形成することもできると考えられる。
【００４９】
支持装置10は、背側部材12を含む。背側部材12は、着用者の背側領域に配置され、安全ハーネスと作動的に係合するように構成される。より詳細には、背側部材12は、平均的または一般的な着用者の胸椎の上に重なるように寸法決めされる。したがって、背側部材は、着用者の胸椎の一般的な側面輪郭に対応する輪郭を有する。
【００５０】
首支持部材14は、背側部材12の上部16から延び、背側部材12が着用者の背側領域に配置されたときに着用者の首を支持するように構成される。より詳細には、首支持部材14は、平均的または一般的な着用者の頸椎の上に重なるように構成される。1つの可能な動作形態では、首支持部材14は、着用者が落下防止事象において起こり得るような、少なくとも部分的に横臥した位置、すなわち、角度が付けられた、または概ね水平のいずれかで支持されるとき、首支持部材14は、肩甲骨のわずかに上の位置から頭の後部まで上向きに延びる着用者の領域と実質的に接触している。その結果、頭部が支持されている間に首部が乗せられる。このような構成に関連して、多くの用途がある。例えば、上述したように長時間着用している間でも、着用者は頭部を首支持部材に対して後方に寝かせて上肩及び首領域の不快感を緩和することができる。従って、首支持部材14は、人間工学的用途を有する。
【００５１】
別の例では、落下防止または鞭打ちの危険性がある他の事象の間に、たとえ、着用者が意識を失ったとしても、上記の領域は首支持部材と実質的に接触したままであり、落下防止またはその他の鞭打ちが生じる事象の発生時のショックまたは衝撃を減らす。
【００５２】
背側部材12および首支持部材14は一体構造の形態である。例えば、背側および首支持部材12,14は、成形、鋳造、印刷または機械加工されてもよい。このような単一の構造は、背側部材12および首支持部材14の製造のために選択された材料に依存して、落下防止事象中にたわみ要素を提供することができる。また、一体構造は、複合製品に必要とされるものよりもはるかに少ないステップの製造工程を許容する。つまり、背側部材12および首支持部材14は、複合または組み立てられた構成の形態であってもよいことが想定される。
【００５３】
図3に見られるように、背側部材12は、着用者の胸椎の一般的な側面輪郭に対応する輪郭を有する。したがって、背側部材12は、背側部材12の垂直方向の長さの約3分の1から約半分上部16から中間部分20まで上部16から離れて湾曲するか外方に伸びた、次いで、背側部材12の下部18まで湾曲するか内側に伸びる。
【００５４】
背側部材12は、中間領域20において最も狭い幅を有する。これにより、着用者は、背側部材12からの干渉なしに、腕を動かすことができる。
これはまた、支持装置の機能を維持しながら支持装置の重量を最適化するのにも役立つ。
【００５５】
上側部分16は、着用者の肩甲骨領域のそれぞれの上に位置するように間隔を置いて配置された2つの上側ハーネス係合区域22.1,22.2を含む。ハーネス係合区域22.1,22.2は、支持装置をハーネス、例えばハーネスのストラップに係合させるように構成されている。
【００５６】
この実施形態では、区域22.1,22.2はそれぞれ、スロット24.1,24.2を規定し、これを通って落下防止ハーネスのストラップを縫い付けることができる。
【００５７】
下方部分18は、胸郭の下側領域の上に位置するように離間して配置された2つの下側ハーネス係合区域26.1,26.2を含む。下方部分18は、区域26が弓形または湾曲した凹部によって分離されるように二股になっている。この実施形態では、区域26.1,26.2はそれぞれ、スロット28.1,28.2を規定し、これを通ってストラップが縫い付けられ得る。
【００５８】
支持装置10は、ある範囲の寸法を有することができる。しかしながら、支持装置10は、ハーネスが必要とされる可能性のある分野で活動を行っている平均的な人物または一般的な人物に適した寸法を有してもよいことが理解される。これは、子どものような身長が過度に低い人は含まれないことが理解される。また、通常はこのような分野では見られない肥満人など、体高が過度に大きい人は含まれない場合もある。場合によっては、支持装置10は、上述の特徴を有する人に適合する寸法を有することができる。しかしながら、装置10の形態を理解する目的で、上記で言及された「平均的人物」は、本書類の特許請求の範囲を含む明細書の「着用者」である。さらに、支持装置10は、上記の「平均の人」の定義に該当しないと考えられる人物によって行われる活動について、明細書および特許請求の範囲で言及された寸法範囲内で、アプリケーションを見つけることが必ずしも必要でない場合もある。支持装置10は、子供または寸法外の人のような特定のクラスの人に合った寸法を備えてもよいことも想定される。
【００５９】
例えば、装置10の全体的な垂直高さまたは長さ（L1）は、約380mm〜450mm、414mmのような、例えば約410mm〜420mmにすることができる。上部ハーネス係合区域22における装置10の全体的な幅（W1、図15）は、約230mm〜260mm、例えば245mmのような、約240mm〜250mmとすることができる。下部ハーネス係合区域26における装置10の全幅（W2、図15）は、約225mm〜255mm、例えば240mmのような、約230mm〜250mmとすることができる。中間区域における全幅（W4、図15,16）は、例えば152mmのような、約140mm〜170mmとすることができる。
【００６０】
背側部材は、約100mm〜150mmの垂直範囲（L3）まで外向きおよび下向きに延びる。
【００６１】
首支持部材14は、背側部材12の上部16から後方に延びている。首支持部材14は、例えば36mmのように、約30mm〜40mmの間に後方に伸びている（D1）。したがって、頭部および首が支持部材14によって支持されるとき、頭部は、着用者の呼吸通路が開放されたままであることを確実にするために、わずかに後ろに傾けられる。この位置において、頸（首）部支持部材14は、上述のように着用者の首を抱く役割を果たす。
【００６２】
首支持部材14は、約70mm〜130mmの垂直高さ（L2）を有する。
【００６３】
首支持部材14は、首の鞭打ちまたは過伸展が要因となる落下防止事象または他の任意の事象において頭部および首を支持する働きをすることが理解されるであろう。これは、落下または他の事象の結果として首の鞭打ちまたは過伸展を減少または中和するのに役立ち得る。従来の安全ハーネスには、何らかの形の首支持が付いていない。その結果、着用者が部分的にリクライニングまたは横臥した姿勢で支持される落下防止事象は、首の脊柱領域および腰部の上部にも重度の傷害をもたらし得る。支持装置10と共に提供される、または支持装置10を組み込む安全ハーネスは、この問題を軽減または改善することができる。
【００６４】
さらに、背側部材12および首支持部材14の構成の結果としての頭部の後方傾斜は、落下の結果、着用者が意識を失った場合に、着用者の空気通路を開放状態に保つのに役立つことができる。意識の喪失および支持装置10なしでは、着用者の頭部は後方に過度に伸びて気道の閉塞をもたらし、結果として死に至る可能性がある。
【００６５】
首支持部材14は、正面から、狭められたカラー30を有する。支持部材14は、カラー30から頭頂部32に向かって外向きに先細になっている。頭蓋部分32は、着用者の頭を収容するために、下方向に湾曲した上端34を有する。頭蓋部分32の反対側には丸みが付けられている。狭窄カラー30は、例えば102mmのような、約95mm〜110mmの全幅（W5）（図15と16）を有する。
【００６６】
首支持部材14はまた、水平面において湾曲しており、一般的に、背側部材12の水平に最も外側の点とほぼ垂直に整列している。
【００６７】
横断面における首支持部材14の湾曲は、落下防止または他の鞭打ち事象の後に、頭部を側部から側部へ過度に動かないように保持する働きをする。過伸展に加えて、このような横方向の過剰な動きは、横断面に湾曲がない場合でも傷害を引き起こす可能性がある。この湾曲は、着用者が過度の旋回または傾動なしに頭を安静に保つことができるように、快適な前向きの姿勢で頭を保持する働きもする。
【００６８】
首支持部材14は、着用者が動作している間に頭部の正常な動きを妨げないように寸法決めされている。言い換えれば、首支持部材14の後方に角度を付けられた向きおよび高さまたは長さは、干渉なしに頭部を正常に動かすことができるように、適切に選択される。
【００６９】
支持装置10の全体の深さ（D2）は、約60mm〜80mm、例えば68mmである。
【００７０】
支持装置10は、約3mm〜7mmの一定の厚さ（T1）を有する。
【００７１】
スロット24,28は、斜めに対向する対の形態であってもよく、一方の対は24.1と28.1であり、他方の対は24.2と28.2である。スロット24.1,28.1は、ストラップの1つにほぼ直交するように配向されている。同様に、スロット24.2,28.2は、ストラップの別のものとほぼ直交するように配向されている。したがって、ストラップは互いに交差して重ね合わせることができる。このような位置では、ストラップは、支持装置10の構造的完全性を向上させるように機能することができる。
【００７２】
各スロット24,28は、従来の落下防止ハーネスに使用される従来のストラップまたはウェビングを収容するための長さおよび幅を有する。代わりに、スロット24,28は、支持装置10に適したカスタマイズされたハーネスに使用されるストラップまたはウェビングを収容するための長さおよび幅を有する。
【００７３】
背側部材12は、快適のために換気される。背側部材12の換気は背側部材12に規定された複数の開口によって達成される。図示されているように、開口部36は、落下防止ハーネスのステップトラップまたはウェビングのための経路38を規定するように配列される。開口部36はまた、装置10の完全性を維持しながら支持装置10の製造に使用される材料の量を減少させる働きをする。
【００７４】
この例では、支持装置10は、プラスチック材料から製造される。例えば、支持装置10は、ポリプロピレンまたは同様の材料から製造することができる。しかし、本発明者は、支持装置10が、目的に適した様々な材料から製造できることを想定している。
【００７５】
支持装置10は、転倒防止用ハーネスのストラップによって加えられる圧力が背側部材12によって分配される機構を提供する。したがって、使用者または着用者の背側領域は、落下牡牛状態において、ストラップによる潜在的損傷から保護することができる。さらに、首支持部材14は、このような状況において、鞭打ちまたは首の過伸展を防止するように構成される。
【００７６】
さらに、支持装置10は、通常の作業条件にある程度の快適さを提供することができる。例えば、着用者は、時間の経過と共に不快感を引き起こすことのない、着用者の身体に直接的に圧力を加えることなく、単に背を向けてリラックスすることができる。また、着用者は、頭部を抱き上げながら、頭部および首部支持部を提供する支持部材14によって頭部を弛緩させることができる。
【００７７】
したがって、支持装置10が製造される材料は、上述の機能を実行するのに十分な剛性を提供するように選択される。したがって、場合によっては、支持装置10は、一般的に柔軟性のない材料から製造することができる。他の場合には、支持装置10は、所定の程度の付与または可撓性を有する材料から製造することができる。そのような付与または柔軟性は、転倒停止状況の場合に支持装置10が一定量の衝撃を吸収することを可能にする。さらに、首支持部材14が背側部材12に対してある程度撓むことができるように材料を選択することができる。これは、さもなければ着用者の頭部および首に伝達される衝撃を吸収するのにも役立つ。
【００７８】
ストラップを設けることに加えて、スロット24,28を使用して、ユーティリティパックを安全ハーネスに接続することもできる。例えば、スロット24,28を使用して、水和パックなどのユーティリティパックを安全ハーネスに接続することができる。あるいは、ユーティリティパックは、上部ハーネス係合区域22に接続または取り付けられてもよい。
【００７９】
図面から分かるように、支持装置10の側面の輪郭（図3）は、一般的なまたは平均的な着用者の脊柱輪郭に概ね一致する。このように、支持装置10は、転倒停止または他の鞭打ち事象の間および通常の日常作業中の両方において、健康な脊柱の人間工学を容易にする。
【００８０】
さらに、これにより、背側部材12の前面44のほぼ全体が、着用者の背側領域とほぼ接触したままであることが可能になる。したがって、転倒停止状態では、背側領域に及ぼされる圧力は実質的にすぐに分散される。また、一般的な使用において、この一般的な接触は、着用者にある程度の快適さを提供する。したがって、背側部材12は人間工学的で安全なアプリケーションである。
【００８１】
さらに、支持装置10は、既存の頭部、首または脊髄損傷の悪化を最小化または防止するために着用者の頭部の補強のための適切なプラットフォームを提供する。例えば、着用者の頭部を首支持部材14に包帯することができる。
【００８２】
図4において、参照番号40は、一般に支持装置の実施形態を示す。前の図面を参照して、特に断らない限り、同様の参照番号は同様の部分を指す。共通の参照番号の使用は、添付の特許請求の範囲を限定するものではなく、便宜上のみである。さらに、支持装置10の構成要素または特性は、可能でありかつ/または実行可能である場合、支持装置40の構成要素または特性と交換可能である。
【００８３】
支持装置40は、詰め物または緩衝部材42を含む。部材42は、背側部材12の内側または前面44（図1〜図3）に固定される。
【００８４】
部材42は、背側部材12よりも大きく、背側部材12の縁を越えて延びる背側部分46を有する。
【００８５】
ポケット48は、背部46上に配置される。ポケット48は、支持部材14がポケット48内に受け入れられるように構成されている。これは、着用者の首および頭部領域のクッションを提供することができる。また、落下防止事象の際の鞭打ちの軽減を支援することもできる。
【００８６】
部材42は、2対の上下対角線上の脚またはアーム50.1,50.2および52.1,52.2を有する。アーム50.1,50.2は、それぞれ上部係合区域22.1,22.2から伸びるように配置されている。アーム52.1,52.2は、下方係合区域26.1,26.2からそれぞれ延びるように配置されている。
【００８７】
詰め物部材42およびポケット48は、適切な詰め物材料である。そのような材料の例は、発泡プラスチック材料、織布材料または不織布材料などである。
【００８８】
支持装置40は、背側部材12の背面56に固定されたウェビング54を含む。この取り付けは、異なる形態を取ることができる。例えば、取り付けは、プレススタッド、接着剤、ベルクロ（Velcro）（登録商標）または他の形態の適切な締結、永久または一時的なものを使用することができる。
【００８９】
ウェビング54は、通路38の上に重なるように背側部材12に固定された2つのストラップ58.1,58.2を含む。この実施例では、ストラップ58はスロット24,28を通って受けられる。固定ストリップ60は、ストラップを背側部材12に固定するために、各係合区域22,26および関連するスロット24,28の各側においてストラップ58に縫い付けられる。
【００９０】
ストラップ58は、安全ハーネスに使用されるタイプのウェビング材料からなることができる。ストリップ60はまた、このようなウェビング材料からなることができる。
【００９１】
ループコネクタ62.1,62.2は、ストラップ58のそれぞれの上端に固定されている。ループコネクタ63.1,6.3.2は、ストラップ58のそれぞれの下端に固定されている。ループコネクタ62は、落下防止ハーネスを支持装置40に接続できるように、落下防止ハーネスのストラップをストラップ58に接続できるようにする。このように、ループコネクタ62,63は、従来のループコネクタとすることができる。
【００９２】
支持装置40は、背側部材12を横切って延在するのに十分な長さのストラップを持たない落下防止ハーネスと共に使用するのに適している。
【００９３】
本発明者は、図に示すように、ストラップ58が交差する必要がないことを想定している。代わりに、ストラップは、適切に配向されたスロットの間で、または他の締結構成によって、互いに平行に延びることができる。
【００９４】
図5において、参照番号70は、一般に落下防止ハーネス用の支持装置の実施形態を示す。前の図面を参照して、特に断らない限り、同様の参照番号は同様の部分を指す。共通の参照番号の使用は、添付の特許請求の範囲を限定するものではなく、便宜上のみである。さらに、前の実施形態およびこの実施形態の構成要素は、実際には、支持装置のさらなる実施形態を提供するために交換可能であることが理解されるべきである。
【００９５】
この例では、スタッドコネクタ74のようなコネクタが、ストリップ60やストラップ58に配置され、ストリップ60がクリップ留めするか、またはストリップ58から取り外すことができるようにされる。また、コネクタ74は、ストラップ60をストラップ58に恒久的に取り付ける。
【００９６】
本発明者は、ストリップ60をストラップ58に固定するために、多数の異なるタイプの接続または固定システムを使用できることを想定している。これらは、Velcro（商標）、接着剤または様々なフックアタッチメントのような、鈎止めの固定装置を含む。
【００９７】
図6において、参照番号80は、一般に、支持装置10（図6）を使用した転倒防止ハーネスの実施形態を示す。図7において、参照番号100は、支持装置40,70のいずれかを使用する落下防止ハーネスの実施形態を一般的に示す。前の図面を参照して、特記しない限り、同様の参照番号は同様の部品を指す。共通の参照番号の使用は、添付の特許請求の範囲を限定するものではなく、便宜上のみである。さらに、先の実施形態の構成要素およびこれらの実施形態は、実際には、転倒防止装置のさらなる実施形態を提供するために交換することができることが理解される。
【００９８】
ハーネス80,100は、腰部バンド82を含む。腰部バンド82は、ベルトパッド86に固定されたベルト84の形態のベルトウェビングを含む。
【００９９】
ハーネス80,100は、着用者の肩と動作可能に係合するように構成された2つのストラップ88.1,88.2を有する。図6において、ストラップ88.1は、スロット24.1,28.1,および24.2,28.2をそれぞれ通過し、上述したように経路38の上に位置する。
【０１００】
ハーネス80には、一対のタグ90.1,90.2がベルトウェビング84に縫い付けられている。ループコネクタ92.1,92.2は、それぞれのタグ90.1,90.2に固定されている。ストラップ88.1,88.2の端部は、それぞれのループコネクタ92.1,92.2に固定され、それによって、支持装置10を調整可能な態様でハーネス80に固定する。
【０１０１】
この例では、緩衝部材42は、背側部材12の内面44上に配置されている。
【０１０２】
ハーネス100において、ストラップ88.1,88.2はより短く、ループ62.1,62.2（図5）にそれぞれ接続されている。
【０１０３】
一対のタグ102.1,102.2がベルトウェビング84に縫い付けられる。タグ102.1はコネクタ63.1に接続され、タグ102.2はコネクタ63.2に接続される。
【０１０４】
図8は、ハーネス80,100のいずれかの正面図を示している。
【０１０５】
ハーネス80,100は、着用者のそれぞれの大腿部106.1,106.2の周りに締結可能な一対の大腿ストラップ104.1,104.2を含む。大腿ストラップ104.1,104.2は、パディング110.1,110.2上に配置された大腿ストラップウェビング108.1,108.2を含む。調節可能なバックル112.1,112.2がウェビング108.1,108.2上に配置され、大腿ストラップ104.1,104.2の緊張を調節する。
【０１０６】
接続ストラップ114.1,114.2は、図6または図7に見られるように、ストラップ104.1,104.2およびベルトウェビング84を大腿106の後ろに相互接続する。接続ストラップ116.1,116.2は、ストラップ104.1,104.2および大腿部106の前方にあるベルトウェビング84を相互接続する。
【０１０７】
ハーネス80,100は、着用者の膝と臀部との間で大腿部106を横切って、かつ大腿部106の少なくとも部分的に外側の周りに延びるように構成された大腿部支持構造118を含む。
【０１０８】
大腿部支持装置118は、大腿部のシートパッド120と、パッド部120の上を覆って延びている大腿部のシートウェビング122とを含む。
【０１０９】
ベルトウェビング84は、着用者の腰部部分124の周りに延びるように構成される。ベルトパッド86は、腰部124の周りに部分的に延びて正面間隙128を規定する。
【０１１０】
調整用バックル126は、腰部バンド82のしっかりとしたフィット感を調整できるように、ベルトウェビング84上に配置されている。
【０１１１】
ガイドループ132.1,132.2は、それぞれ大腿ストラップ104.1,104.2に配置されている。ウェビング122は、ループ132.1,132.2を貫通して縫い付けられる。
【０１１２】
ガイドループ132.1,132.2の代わりに、大腿ストラップウェビング108をパッド110に縫い付けて、大腿部シートウェビング122を収容する傾斜通路152を規定することができる。この代替構成の詳細が図10に示されている。前述の図面を参照して、他に特定されない限り、同様の参照符号は同様の部分を指す。共通の参照番号の使用は、添付の特許請求の範囲を限定するものではなく、便宜上のみである。
【０１１３】
大腿部のシートウェビング122には、着用者がウェビング122の長さを調節することが可能なように調節バックル154が配置されている。
【０１１４】
ハーネス80,100は横臥機構129を含む。横臥機構は、腰バンド82と動作可能に係合されている。牽引機構129はテザーに接続可能であり、落下防止状態では、牽引機構が着用者を少なくとも部分的に腰掛けまたは座った状態にするよう作動する。
【０１１５】
図11及び図12には、リカバリ機構129の詳細が示されている。
【０１１６】
機構129は、その端部でベルトウェビング84に固定されたガイドストラップ130を含む。ウェビング122の端部は、一緒に固定され、ガイドストラップ130とベルトウェビング84との間に螺合される.Dリング134のようなテザー装置がウェビング122に接続される。したがって、落下防止状況において、ウェビング122はガイドストラップ130とベルトウェビング84との間に少なくとも部分的に引き込まれる。同時に、ウェビング112はガイドループ132.1,132.2に対して摺動するので、着用者が腰部124で支持されている間に大腿部106を上方に引き寄せる。
【０１１７】
ガイドストラップ130は、それぞれの接続ストラップ116の上または下に縫い付けられまたは縫合され得る。この例では、ガイドストラップ130は、それぞれの接続ストラップ116の下に縫い付けられる。
【０１１８】
ハーネス80,100のストラップ88.1,88.2は、着用者の肩を越えてベルトウェビング84まで延び、ベルトウェビング84に縫い付けられている。したがって、大腿ストラップウェビング108.1,108.2が太腿106を上方向に引くように作用するので、ストラップ88は、着用者を少なくとも部分的に腰掛けまたは着座位置で支持する働きをする。より具体的には、転倒停止状況において、ベルトウェビング84は、着用者の腹部領域から上方に引き寄せられる。これは、ストラップ88に張力を設定して、着用者が部分的に横臥または着座位置に支持されるようにする働きをする。
【０１１９】
Dリング138の形態の締め綱コネクタが、適切な接続ストラップ136によってベルトウェビング84に固定される。Dリング138は、作業位置締め綱用に使用される。しかしながら、そのような締め綱またはロープが使用されない場合、安全テザーまたは締め綱は、両方のDリング134,138に接続されるべきである。
【０１２０】
ハーネス80,100は、着用者の胸部領域を横切ってストラップ88を相互に連結する胸部ストラップ150を含む。調整バックル151は、胸部ストラップ150上に配置され、胸部ストラップ150の調整または解放を可能にする。
【０１２１】
さらに、例えばDリング155の形態の締め綱またはロープコネクタが胸部ストラップ150に接続される。
【０１２２】
Dリング156の形態の補助コネクタは、ベルトウェビング84に接続されている。
【０１２３】
図9において、参照符号140は、一般に落下防止ハーネスの実施形態を示す。他の図面を参照して、他に特定されない限り、同様の参照番号は同様の部分を指す。共通の参照番号の使用は、添付の特許請求の範囲を限定するものではなく、便宜上のみである。さらに、先の実施形態の構成要素およびこれらの実施形態は、実際には、転倒防止装置ハーネスのさらなる実施形態を提供するために交換することができることを理解されたい。
【０１２４】
ハーネス140の肩ストラップ88.1,88.2は、着用者の肩の上に伸びる単一のストラップ88によって規定され、Dリング142の形態のDリング144の形態の作業位置決めコネクタに接続される。次に、Dリングは、適切なストラップ148付きのさらなるDリングの形態の、さらなる作業位置決めコネクタに接続される。次に、Dリング144は、ベルトウェビング84に接続されている。再び、この接続は適切なストラップ148によって行われる。
【０１２５】
Dリング142、144は、２つの位置の作業位置決め締め綱、またはロープに接続するのを許容する。例えば、肩ストラップ88およびストラップ146は接続の一点が胸骨であり、他方が腹部であるように構成される。
【０１２６】
落下防止状態では、ベルトウェビング84の結果としての移動は、ストラップ146,148に張力を設定し、その結果、着用者は、少なくとも、部分的に横臥、または、着座した位置に支持される。
【０１２７】
図12および13において、ベルトウェビング８４に縫い付けられたガイドループ156を含むバックアップ装置が示される。先の図を参照して、他に特定されない限り、同様の参照符号は同様の部分を指す。共通の参照番号の使用は、添付の特許請求の範囲を限定するものではなく、便宜上のみである。さらに、先の実施形態の構成要素およびこれらの実施形態は、実際には、転倒防止装置ハーネスのさらなる実施形態を提供するために交換することができることが理解される。
【０１２８】
ウェビング122はガイドループ156、および、ガイドストラップ130およびベルトウェビング84の間を通る。
【０１２９】
ハーネス140の動作が図１４に示される。
【０１３０】
図１４で見られるように、太腿シートウェビング122は、ガイドストラップ130とベルトウェビング84の間に部分的にあるように示される。ウェビング122は、このように、概して水平の太腿106.1、106.2を支持する役割をする。同時に、結果としての張力は、接続ストラップ146,148を介してストラップ88にセットアップされる。
【０１３１】
図15において、参照番号200は、落下防止ハーネス用の支持装置の典型的な実施の形態を概して示す。先の図を参照して、他に特定されない限り、同様の参照符号は同様の部分を指す。共通の参照番号の使用は、添付の特許請求の範囲を限定するものではなく、便宜上のみである。さらに、先の実施形態の構成要素およびこれらの実施形態は、実際には、転倒防止装置ハーネスのさらなる実施形態を提供するために交換することができることを理解される。
【０１３２】
支持装置200は追加の、概して横方向のスロット202を含む。スロット202はタグ228（図１８から図２０）のハーネス80,100,140,260（図20）の腰部バンド82への接続を収容する位置にある。
【０１３３】
図16および図17において、参照符号210は、一般に、落下防止ハーネス用の支持装置の例示的な実施形態を示す。前の図面を参照して、特に断らない限り、同様の参照番号は同様の部分を指す。共通の参照番号の使用は、添付の特許請求の範囲を限定するものではなく、便宜上のみである。さらに、前の実施形態およびこの実施形態の構成要素は、実際には、支持装置のさらなる実施形態を提供するために交換可能であることが理解されるべきである。
【０１３４】
支持装置210の下部18は、図19に示されるような後方のY字型ウェビング装置を有する落ち込み防止ハーネスの設計に適合するように切断されている。したがって、支持装置は全体の高さまたは長さ（L4）が約330〜380mmの間である。
【０１３５】
したがって、支持装置210は、余分である下部係合区域26を含まない。
【０１３６】
支持装置210は、支持装置10と同様の寸法を有するが、切頭ベース部分18は、195mm〜230mm（W3）の全幅を有する。また、背側部材の深さ（D3）は約38〜45mm、例えば約41〜42mmである。
【０１３７】
図18において、参照番号220は、一般に、落下防止ハーネス用の支持装置の例示的な実施形態を示している。前の図面を参照すると、特に断らない限り、同様の参照番号は同様の部分を指す。共通の参照番号の使用は、添付の特許請求の範囲を限定するものではなく、便宜上のみである。さらに、前の実施形態およびこの実施形態の構成要素は、実際には、支持装置のさらなる実施形態を提供するために交換可能であることが理解されるべきである。
【０１３８】
2つのストラップ58.1,58.2の代わりに、支持装置220は、背部Dリング226のループ224を介してスロット24.1,24.2を通って延びる単一のストラップ222を含む。ストラップ222は、背側部材12に固定される支持装置40,70を参照して前述したように、固定ストリップ60で背側部材12に固定される。
【０１３９】
タグ228は、Dリング226のループ224に接続され、スロット202を通って延在する。固定ストリップ230がタグ228に縫い付けられ、タグを背側部材12に固定する。
【０１４０】
調整バックル232はタグ２２８に接続され、ベルトウェビング84に縫い付けられたウェビング234の長さは、支持装置200をハーネスの腰部バンドに接続するために使用される。
【０１４１】
この実施形態では、緩衝部材236も設けられている。クッション部材42と同様に、クッション部材236は、首支持部材14を受け入れることができる頂部ポケット238を有する。クッション部材236はまた、下部係合区域26が受け入れられてクッション部材236を定位置に保持することができる下部ポケット240を有する。
【０１４２】
図19において、参照符号250は、一般に、落下防止ハーネス用の支持装置の例示的な実施形態を示している。前の図面を参照して、特に断らない限り、同様の参照番号は同様の部分を指す。共通の参照番号の使用は、添付の特許請求の範囲を限定するものではなく、便宜上のみである。さらに、前の実施形態およびこの実施形態の構成要素は、実際には、支持装置のさらなる実施形態を提供するために交換可能であることが理解されるべきである。
【０１４３】
支持装置250の緩衝部材236は、装置210に適合するように短くされている。装置210の背側部材12の下縁部242は、緩衝部材236を定位置に保持するために底ポケット240に受け入れられる。
【０１４４】
図20において、参照番号260は、一般に、落下防止ハーネスの例示的な実施形態を示す。上記の図面を参照して、別段の指定がない限り、参照番号は同様の部分を指す。共通の参照番号の使用は、添付の特許請求の範囲を限定するものではなく、便宜上のみである。さらに、先の実施形態およびこの実施形態からの構成要素は、実際には、転倒防止装置のさらなる実施形態を提供するために交換可能であることが理解されるべきである。
【０１４５】
上述したように、落下防止用ハーネス260は、ベルトウェビング84に縫着されたウェビング234の長さを有し、支持装置220を調整バックル232を用いてハーネス250に固定することができる。
【０１４６】
支持装置250は、そのようにしてハーネス260に接続することもできることが理解される。
【０１４７】
「胸椎の一般的な側面輪郭」という用語は、背側部材の側方の輪郭または外形を説明することを意図している。すなわち、外側に向かってまたは後方に延び、次いで内側または前方に戻って胸椎を模倣する。「ジェネリック」は、手術または変形によって多分変更されたものではなく、従来の人間の脊柱の形状を伝えることを意図している。輪郭は、人間工学的で自然な形状の背側部材を提供するために、弧状部分または湾曲部分を組み込むことができる。首支持部材は、このようにして成形することもできる。
【０１４８】
「胸部」および「首」への言及は、医療分野において通常は背骨の特定の領域に対して要求されるレベルの精度を指すものではない。その意図は、脊柱が通常外側に曲げられ、おそらく首と背部の間の移行部に再発する、脊髄首領域と脊髄背部との間の境界を提供することである。そのプロフィールは、図面に示された背側メンバーにおいて模倣されたものとして明確に見ることができる。これは、輪郭または輪郭がその方向を逆にして外側に延びる腰部領域とは異なる。さらに、背側部材が胸部全体を覆う必要があることは想定されていない。
【０１４９】
したがって、背側部材は、背側領域とほぼ連続的な接触領域を提供するように成形される。これは、上記の機能を提供するのに役立つ。
【０１５０】
本明細書に記載された支持装置の様々な例示的実施形態は、人の全身体のためにまたは単純に背および首領域のために、クレードルまたは人間工学的支持が必要とされる様々な状態で使用され得ることが想定される。さらに、支持装置は、人の首を支持する唯一の目的のために使用することができる。言い換えれば、支持装置をハーネスと共に使用することは厳密に必要ではない。この理由は、首支持部材および背側部材の上記の輪郭の機能性が広範囲の用途を有するからである。これには、人の持ち運び、他のデバイスとの組み合わせ、または単に支持装置だけでの持ち運びが含まれるが、これに限定されない。頭部を後方傾斜および左右移動に対して支持することができるという事実は、頭部の過剰な動きが望ましくない状態で人を運ぶのに特に適した機能を提供する。さらに、この輪郭は、運ばれる人にある程度の快適さと安全感を提供する。これは、人が負傷した場合、不安を軽減し、人の治療を容易にすることができる。人が意識を持たない場合、その人を運ぶ可能性のある介護者または他の人員は、運搬または他の操作中に頭部の過度の動きを低減することによって、安全装置を使用することができる。
【０１５１】
文脈が許す限り、特許請求の範囲を含めて、「含む」という用語およびその「含む」または「備える」などの変形は、他の整数を必ずしも排除することなく、記載された整数を含むものとして解釈されるべきである。
【０１５２】
上記の用語は説明のためのものであり、限定するものと見なすべきではないことを理解されたい。記載された実施形態は、その範囲を限定することなく、本発明を説明することを意図している。本明細書に記載された例示的な実施形態は、当業者に容易に思い付くように、様々な修正および追加によって実施することができる。
【０１５３】
特許請求の範囲に記載の主題を実施するために本発明者に知られている最良の形態があれば、これを含むテキスト及び／又は図形的に、本明細書に記載されている。本明細書に記載された1つまたは複数の実施形態の変形（例えば、修正および／または強化）は、この出願を読めば当業者には明らかになるであろう。発明者は、当業者がこのような変形を適切に使用することを期待しており、本発明者は特許請求される主題が本明細書に具体的に記載された以外のものとして実施されることを意図する。したがって、法律で許可されているように、クレームされた主題は、クレームされた主題およびその改良物の全ての均等物を含み、且つ、カバーする。さらに、上記の要素、活動、および可能なすべての変形のすべての組み合わせは、本明細書で他に明白に示されない、明瞭かつ具体的に否定されるかまたは文脈によって明らかに矛盾しない限り、クレームされた主題に包含される。
【０１５４】
提供される任意のおよびすべての実施例、または例示的な用語（例えば、「〜など」）の使用は、1つまたは複数の実施形態をよりよく照らすことを意図しており、特許請求される主題の範囲を限定するものではない。そうでないと述べている。本明細書のいかなる言葉も、クレームされていない主題をクレームされた主題の実施に不可欠であると解釈するものと解釈されるべきではない。
【０１５５】
移動の方向または方向を示す言葉の使用は、限定的なものとみなされるべきではない。したがって、「前」、「後」、「後」、「側」、「上」、「下」、「上」、「下」、「上」、「下」、「前進」、「後」 「近づく」、「近位」、「in」、「out」および同義語、反意語およびその派生語は、文脈がそうでないことを示さない限り、便宜上選択されたものである。特許請求の範囲に記載の主題は、任意の特定の方向で供給することができ、主張される主題は、そのような方位を含むことが意図される。
【０１５６】
したがって、本出願の任意の部分（例えば、発明の名称、分野、背景、要約、説明、要約、図面など）の内容にかかわらず、明示的な定義、主張、または議論、または明示的に任意の請求項に矛盾しているような、明確に逆であると規定されない限り、この出願および／またはここに優先権を主張する出願、ならびに、元々提示されていたか、そうでないか、に拘わらず、
ａ．任意の特定の記載されたまたは図示された特性、機能、活性、または要素、任意の特定の一連の活動、または要素の任意の特定の相互関係を含む必要はない。
ｂ．機能、活動、要素が「不可欠」ではない。
ｃ．任意の要素を統合、分離、および/または複製することができる。
ｄ．任意の動作を繰り返すことができ、任意の動作を複数のエンティティによって実行することができ、および／または任意の動作を複数の管轄区域で実行することができる。そして
ｅ．任意の活動または要素を明確に除外すること、活動の順序を変えること、および／または要素の相互関係が変化することがありうる。
【０１５７】
様々な実施形態（特に、添付の特許請求の範囲の文脈において）を説明する文脈における用語「a」、「an」、「said」、「the」および／または同様の指示対象の使用は、本明細書中に別段の指示がない限り、又は文脈と明らかに矛盾しない限り、単数及び複数の両方をカバーする。「含む」、「有する」、「含む」および「含有する」という用語は、別段の記載がない限り、制限のない用語（すなわち、「含むが、これに限定されない」を意味する）として解釈されるべきである。
【０１５８】
さらに、本明細書において任意の数または範囲が記載されている場合、明確に断らない限り、その数または範囲は近似値である。本明細書における値の範囲の列挙は、本明細書で別段の指示がない限り、範囲内の各別個の値を個々に参照する簡略方法として機能することを意図しており、各別個の値およびそのような別個の値によって定義されるあたかもそれが本明細書中に個々に列挙されているかの如くである。例えば、1から10の範囲が記述されている場合、その範囲は、その間のすべての値、例えば、1.1,1.5,3.335,5,1.679,8.9999などを含み、それらの間のすべてのサブ範囲を含む例えば、1~3.65,2.8~8.14,1.93~9などである。
【０１５９】
したがって、本出願の請求項自体以外のすべての部分（例えば、タイトル、フィールド、背景、要約、説明、要約、図面など）は、本質的に例示的であるとみなされるべきであり、この出願に基づいて発行する特許によって保護される主題の範囲は、その特許の請求項によってのみ規定される。
【図１】
2017525448.tif 000003
【図２】
2017525448.tif 000004
【図３】
2017525448.tif 000005
【図４】
2017525448.tif 000006
【図５】
2017525448.tif 000007
【図６】
2017525448.tif 000008
【図７】
2017525448.tif 000009
【図８】
2017525448.tif 000010
【図９】
2017525448.tif 000011
【図１０】
2017525448.tif 000012
【図１１】
2017525448.tif 000013
【図１２−１３】
2017525448.tif 000014
【図１４】
2017525448.tif 000015
【図１５】
2017525448.tif 000016
【図１６】
2017525448.tif 000017
【図１７】
2017525448.tif 000018
【図１８】
2017525448.tif 000019
【図１９】
2017525448.tif 000020
【図２０】
2017525448.tif 000021
【国際調査報告】
2017525448.tif 000022
2017525448.tif 000023
2017525448.tif 000024